(57)【要約】【課題】携帯機器と対向機器との位置合わせを行う場合に、対向機器が携帯機器の背面側に隠れてしまっても容易に位置合わせを行う。【解決手段】携帯機器１の背面に対向する対向機器５に接触することにより、対向機器５の位置を検出する検出部２と、検出部２にて検出した対向機器５の位置に基づいて、対向機器５と携帯機器１の所定箇所との相対位置情報を生成する制御部３と、相対位置情報を報知する報知部４とを有する。【選択図】図１
2014027738.tif 000002
【特許請求の範囲】
【請求項１】
携帯機器であって、
前記携帯機器の背面に対向する対向機器に接触することにより、前記対向機器の位置を検出する検出手段と、
前記検出手段にて検出した前記対向機器の位置に基づいて、該対向機器と前記携帯機器の所定箇所との相対位置情報を生成する制御手段と、
前記相対位置情報を報知する報知手段とを有する携帯機器。
【請求項２】
請求項１に記載の携帯機器において、
前記報知手段は、前記対向機器に対する前記携帯機器の所定箇所の相対位置を予め決められた位置とするための誘導情報を出力する携帯機器。
【請求項３】
請求項２に記載の携帯機器において、
前記報知手段は、前記対向機器の位置と、前記携帯機器の前記所定箇所の位置とを表示出力する携帯機器。
【請求項４】
請求項１乃至３のいずれか１項に記載の携帯機器において、
前記対向機器は、前記携帯機器に充電を行う充電器であり、
前記所定箇所は、前記充電器から電力を受け取る電力受取部が内蔵された箇所である携帯機器。
【請求項５】
携帯機器の制御方法であって、
前記携帯機器の背面に対向する対向機器に接触することにより、前記対向機器の位置を検出する検出処理と、
前記検出処理にて検出した前記対向機器の位置に基づいて、該対向機器と前記携帯機器の所定箇所との相対位置情報を生成する相対位置生成処理と、
前記相対位置情報を報知する報知処理とを有する制御方法。
【請求項６】
携帯機器に、
前記携帯機器の背面に対向する対向機器に接触することにより、前記対向機器の位置を検出する検出手順と、
前記検出手順にて検出した前記対向機器の位置に基づいて、該対向機器と前記携帯機器の所定箇所との相対位置情報を生成する相対位置生成手順と、
前記相対位置情報を報知する報知手順とを実行させるためのプログラム。
【発明の詳細な説明】
【技術分野】
【０００１】
本発明は、携帯機器に関し、特に、対向機器との位置合わせを支援する技術に関する。
【背景技術】
【０００２】
現在、携帯電話機は、情報交換や情報収集の面から、生活にはなくてはならないツールとなりつつある。携帯電話機は、世の中に登場した当時は、通話機能しか有していないものがほとんどであった。しかし、近年では、一般のパーソナルコンピュータと同様に、電子メールを送信したり、インターネットに接続したりすることができるようになっている。
【０００３】
このような携帯電話機の市場では、近年、スマートフォンが急速に普及している。スマートフォンは、キーパッドを有さず、表示画面上に接触を検出するタッチパッドを有し、タッチパッドにて接触を検出すると、その検出した位置と同じ表示画面上の場所の選択や操作が可能となる。このようなタッチパッドを有する携帯機器は、スマートフォンに限らず、タブレット端末やデジタルカメラ、携帯ゲーム機等にも採用されており、非接触状態にて充電が可能なものも考えられている。
【０００４】
非接触状態にて充電が可能な携帯機器においては、充電器内にて生じた電力を、内蔵されたコイルで受け取ることで充電されるため、充電器と内蔵されたコイルとが対向するように充電器との位置合わせを行う必要がある。ところが、充電器が十分に大きな面積を持つものにおいては携帯機器と充電器との位置合わせは容易だが、携帯機器がタブレット端末の様に大きな面積を持つものにおいては、充電器が携帯機器の背面側に隠れてしまって位置合わせが困難になる場合がある。また、タブレット端末のように面積が大きなものにおいては、コイルが内蔵された箇所がわかりにくい。なお、「Ｑｉ」という非接触充電の規格が存在するが、充電器とその対応機器も様々な形状のものがこの規格に対応することになるため、面積の大きなタブレット端末とそれよりも小さい充電器を利用するシーンも出てくるものと考えられる。
【０００５】
ここで、非接触状態にて充電が可能な電子機器であって、内蔵されたコイルを流れる電流や、所定位置の磁束密度を検出することにより、充電器との相対位置を検出して報知する技術が考えられている（例えば、特許文献１，２参照）。このような技術を用いることにより、充電器とこの充電器によって非接触で充電される携帯機器との位置合わせを行うことができるようになる。
【先行技術文献】
【特許文献】
【０００６】
【特許文献１】特開２０１０−２０６８６６号公報
【特許文献２】特開２０１０−２０６８６５号公報
【発明の概要】
【発明が解決しようとする課題】
【０００７】
しかしながら、上述したような技術においては、充電器と携帯機器との相対位置が、充電器内にて生じた電力によって携帯機器内のコイルにある程度の電流が流れるようなものとなっているか、磁束密度を検出する領域が充電器に対向しているものとなっている必要があるため、充電器と携帯機器とがこのような相対位置となっていない場合、これらの位置合わせを行うことができなくなってしまう。すなわち、充電器と携帯機器との相対位置がある程度の範囲内のものになっていないと、これらの位置合わせを行うことができなくなってしまう。そのため、例えば、上述したように携帯機器がタブレット端末の様に大きな面積を持つものにおいては、充電器が携帯機器の背面側に隠れてしまうため、充電器と携帯機器との相対位置を、充電器とコイルとが対向するものにすることが困難となり、充電器と携帯機器との位置合わせを行うことができなくなってしまうという問題点がある。
【０００８】
本発明は、上述したような技術が有する問題点に鑑みてなされたものであって、携帯機器と対向機器との位置合わせを行う場合に、対向機器が携帯機器の背面側に隠れてしまっても容易に位置合わせを行うことができる携帯機器を提供することを目的とする。
【課題を解決するための手段】
【０００９】
上記目的を達成するために本発明は、
携帯機器であって、
前記携帯機器の背面に対向する対向機器に接触することにより、前記対向機器の位置を検出する検出手段と、
前記検出手段にて検出した前記対向機器の位置に基づいて、該対向機器と前記携帯機器の所定箇所との相対位置情報を生成する制御手段と、
前記相対位置情報を報知する報知手段とを有する。
【００１０】
また、携帯機器の制御方法であって、
前記携帯機器の背面に対向する対向機器に接触することにより、前記対向機器の位置を検出する検出処理と、
前記検出処理にて検出した前記対向機器の位置に基づいて、該対向機器と前記携帯機器の所定箇所との相対位置情報を生成する相対位置生成処理と、
前記相対位置情報を報知する報知処理とを有する。
【００１１】
また、携帯機器に実行させるためのプログラムであって、
前記携帯機器の背面に対向する対向機器に接触することにより、前記対向機器の位置を検出する検出手順と、
前記検出手順にて検出した前記対向機器の位置に基づいて、該対向機器と前記携帯機器の所定箇所との相対位置情報を生成する相対位置生成手順と、
前記相対位置情報を報知する報知手順とを実行させる。
【発明の効果】
【００１２】
本発明によれば、携帯機器と対向機器との位置合わせを行う場合に、対向機器が携帯機器の背面側に隠れてしまっても容易に位置合わせを行うことができる。
【図面の簡単な説明】
【００１３】
【図１】本発明の携帯機器の概要を示すブロック図である。
【図２】図１に示した携帯機器の制御方法のアルゴリズムを説明するためのフローチャートである。
【図３】図１に示した携帯機器の実施の一形態となるタブレット端末の一構成例を示す図であり、（ａ）は前面側から見た外観図、（ｂ）は背面側から見た外観図、（ｃ）は構成ブロック図である。
【図４】図３に示したタブレット端末が充電される際の状態を示す図であり、（ａ）は外観斜視図、（ｂ）は充電原理を示す図である。
【図５】図３に示したタブレット端末の充電時の動作の一例を説明するためのフローチャートである。
【図６】図３に示したタブレット端末における充電時のタッチパネル上の表示状態を示す図である。
【図７】図３に示したタブレット端末の充電時の動作の他の例を説明するためのフローチャートである。
【発明を実施するための形態】
【００１４】
以下に、本発明の実施の形態について図面を参照して説明する。
【００１５】
図１は、本発明の携帯機器の概要を示すブロック図である。
【００１６】
本発明の携帯機器は図１に示すように、検出手段となる検出部２と、制御手段となる制御部３と、報知手段となる報知部４とから構成されている。
【００１７】
検出部２は、携帯機器１の背面に対向する対向機器５に接触することにより、対向機器５の位置を検出する。
【００１８】
制御部３は、検出部２にて検出した対向機器５の位置に基づいて、対向機器５と携帯機器１の所定箇所との相対位置情報を生成する。
【００１９】
報知部４は、制御部３にて生成した対位置情報を報知する。
【００２０】
以下に、上記のように構成された携帯機器の制御方法のアルゴリズムについて説明する。
【００２１】
図２は、図１に示した携帯機器の制御方法のアルゴリズムを説明するためのフローチャートである。
【００２２】
図１に示した携帯機器１においては、検出部２が、携帯機器１の背面に対向する対向機器５に接触すると、対向機器５の接触により対向機器５の位置を検出する（ステップ１）。
【００２３】
次に、制御部３が、検出部２が検出した対向機器５の位置に基づいて、対向機器５と携帯機器１の所定箇所との相対位置情報を生成する（ステップ２）。
【００２４】
その後、報知部４が、制御部３が生成した相対位置情報を報知する（ステップ３）。
【００２５】
以下に、上述した携帯機器１について具体的な例を挙げて説明する。
【００２６】
図３は、図１に示した携帯機器１の実施の一形態となるタブレット端末の一構成例を示す図であり、（ａ）は前面側から見た外観図、（ｂ）は背面側から見た外観図、（ｃ）は構成ブロック図である。
【００２７】
本形態のタブレット端末は図３（ａ）に示すように、筐体６０の前面にタッチパネル１０が設けられるとともに、筐体６０の背面に、図１に示した検出部２となる背面タッチパッド２０が設けられて構成されている。タッチパネル１０は、表示ユニット１２上にタッチパッド１１が重ね合わされて構成されている。なお、タッチパネル１０は、表示ユニット１２上にタッチパッド１１が重ね合わされたものに限らず、タッチパッド１１と表示ユニット１２とが一体化されたオンセル型やインセル型であってもよい。このような構成であることにより、タッチパネル１０と背面タッチパッド２０とは筐体６０を介して対向しており、互いに略同一の形状を有することにより、背面タッチパッド２０における指や物体の接触位置を、筐体６０を介して透視するように表示ユニット１２に表示することができる。
【００２８】
筐体６０は、例えば、フロントカバーとリアカバーとがその周囲にて嵌合されて構成されている。
【００２９】
タッチパッド１１及び背面タッチパッド２０は、その表面に導電膜（不図示）を有し、この導電膜と指や物体との間の静電容量の変化によって、指や物体が接触した接触位置を検出する。また、指や物体が接触した接触位置を検出するものであれば、上述した静電容量を用いたもの以外にも、２枚の導電膜が指や物体によって押されて互いに接触した際の抵抗値を検出することでその位置を検出する抵抗膜方式によるものであってもよい。
【００３０】
表示ユニット１２は、液晶や有機ＥＬ等から構成され、タッチパネル１０に対する接触による入力操作を行うための表示を行う。また、表示ユニット１２は、タブレット端末１００の充電動作時においては、背面タッチパッド２０にて検出された接触位置に基づいて、背面タッチパッド２０に接触した物体とタブレット端末１００の所定箇所となるコイル５０が内蔵された部分との相対位置情報を表示出力する。
【００３１】
筐体６０の内部には、図１に示した制御部３となるＣＰＵ３０と、充電池４０と、電力受取部となるコイル５０とが内蔵されている。
【００３２】
ＣＰＵ３０は、タッチパッド１１や背面タッチパッド２０にて検出された接触位置を認識し、認識した接触位置の軌跡に基づいて、タッチパッド１１や背面タッチパッド２０に対する接触による入力操作を認識する。また、充電池４０の充電動作時においては、背面タッチパッド２０にて検出された接触位置に基づいて、背面タッチパッド２０に接触した物体とタブレット端末１００の所定箇所となるコイル５０が内蔵された部分との相対位置情報を生成する。
【００３３】
充電池４０は、このタブレット端末１００の電源となるものである。
【００３４】
コイル５０は、電磁誘導によって外部のコイルからの電力を受け取り、充電池４０に電流を供給することにより充電池４０を充電するものである。
【００３５】
なお、タブレット端末１００には、これらの他に、通信を司る通信部や、音声入力部等が設けられているが、これらは本発明に直接関係しないものであるため、説明は省略する。
【００３６】
以下に、上記のように構成されたタブレット端末１００の充電時の動作について説明する。
【００３７】
図４は、図３に示したタブレット端末１００が充電される際の状態を示す図であり、（ａ）は外観斜視図、（ｂ）は充電原理を示す図である。
【００３８】
図３に示したタブレット端末１００を充電する場合は、図４（ａ）に示すように、図１に示した対向機器５となる充電器２００上にタブレット端末１００が載置されることになる。これにより、タブレット端末１００の背面タッチパッド２０が充電器２００と接触することになる。
【００３９】
その際、図４（ｂ）に示すように、充電器２００に内蔵されたコイル２５０とタブレット端末１００内のコイル５０とが対向すると、コイル２５０に流れている電流によって２つのコイル５０，２５０間で電磁誘導が生じてコイル５０に電流が流れ、この電流が充電池４０に供給されることによって充電池４０が充電されることになる。そのため、タブレット端末１００内のコイル５０が充電器２００と対向するように、タブレット端末１００を充電器２００上に載置することが好ましい。
【００４０】
本形態は、タブレット端末１００内のコイル５０が充電器２００と対向するように、タブレット端末１００を充電器２００上に載置することを支援するものである。
【００４１】
図５は、図３に示したタブレット端末１００の充電時の動作の一例を説明するためのフローチャートである。
【００４２】
図３に示したタブレット端末１００が図４に示したように充電器２００上に載置されることによってタブレット端末１００の背面タッチパッド２０が充電器２００と接触すると、背面タッチパッド２０が充電器２００の接触位置を検出する（ステップ１１）。検出した接触位置はＣＰＵ３０に通知され、ＣＰＵ３０は、充電器２００の接触位置を認識する。
【００４３】
ＣＰＵ３０は、背面タッチパッド２０にて充電器２００の接触を検出したことをトリガとして充電池４０への充電の検出待ちになる（ステップ１２）。
【００４４】
その後、ＣＰＵ３０が、コイル５０に流れる電流を検知すること、あるいは充電池４０に供給される電流を検知することによって、充電池４０への充電を検出すると（ステップ１３）、ＣＰＵ３０は、背面タッチパッド２０に対する充電器２００の接触位置に基づいて、充電池４０とタブレット端末１００のコイル５０が内蔵された部分との相対位置情報となるタッチ位置情報を生成する（ステップ１４）。
【００４５】
ＣＰＵ３０は、生成したタッチ位置情報を表示ユニット１２に表示出力させる（ステップ１５）。
【００４６】
図６は、図３に示したタブレット端末１００における充電時のタッチパネル１０上の表示状態を示す図である。
【００４７】
ＣＰＵ３０は、まず、図６（ａ）に示すように、タッチパネル１０上のタブレット端末１００のコイル５０が内蔵された部分に、コイル５０の位置を示すコイル位置マーク１３を誘導情報として表示させる。
【００４８】
また、図６（ｂ）に示すように、背面タッチパッド２０にて充電器２００が接触した位置を示す充電器位置マーク１４をタッチ位置情報としてタッチパネル１０上に表示させる。なお、タッチパネル１０と背面タッチパッド２０とを、上述したように互いに略同一の形状を有することにより、背面タッチパッド２０にて充電器２００が接触した位置を示す充電器位置マーク１４を、筐体６０の外形に対する相対位置を維持したままタッチパネル１０上に表示させることができる。
【００４９】
タブレット端末１００は、充電池４０を充電する際、タブレット端末１００内のコイル５０が充電器２００と対向するように充電器２００上に載置することが好ましい。そこで、コイル位置マーク１３と充電器位置マーク１４とが重なるように、タブレット端末１００を充電器２００上でずらしていく。そして、図６（ｃ）に示すように、コイル位置マーク１３と充電器位置マーク１４とが重なると、タブレット端末１００内のコイル５０が充電器２００と対向することになる。
【００５０】
上述したように本形態においては、タブレット端末１００を充電器２００上に載置した際、充電池４０とタブレット端末１００のコイル５０が内蔵された部分との相対位置がタッチパネル１０上に表示されるので、この表示に基づいて、タブレット端末１００を充電器２００上でずらしていくだけで、タブレット端末１００内のコイル５０を充電器２００に対向させることができる。
【００５１】
図３に示したタブレット端末１００の充電時の動作として、充電を検出したことをトリガとすることも考えられる。
【００５２】
図７は、図３に示したタブレット端末１００の充電時の動作の他の例を説明するためのフローチャートである。
【００５３】
図３に示したタブレット端末１００が充電器２００に接近することによって、コイル５０，２５０間にて電磁誘導が生じてコイル５０に電流が流れ、この電流をＣＰＵ３０が検出すると（ステップ２１）、ＣＰＵ３０は、充電池４０への充電を検出したことをトリガとして、背面タッチパッド２０に対する接触の検出待ちになる（ステップ２２）。
【００５４】
その後、背面タッチパッド２０が充電器２００と接触し、背面タッチパッド２０が充電器２００の接触位置を検出することにより、ＣＰＵ３０が充電器２００の接触位置を認識すると（ステップ２３）、ＣＰＵ３０は、背面タッチパッド２０に対する充電器２００の接触位置に基づいて、充電池４０とタブレット端末１００のコイル５０が内蔵された部分との相対位置情報となるタッチ位置情報を生成する（ステップ２４）。
【００５５】
ＣＰＵ３０は、生成したタッチ位置情報を表示ユニット１２に表示出力させる（ステップ２５）。
【００５６】
なお、上述した実施の形態においては、充電器２００による充電池４０の充電を検出してから、タブレット端末１００のコイル５０と充電器２００との相対位置情報を生成しているが、本発明は、背面タッチパッド２０に対する充電器２００の接触位置とタブレット端末１００のコイル５０との相対位置情報をタッチパネル１０に表示するものであることから、充電器２００による充電池４０の充電を検出することには関係なく、これらの相対位置情報を生成してよい。その場合、他の入力操作によって、充電池４０への充電モードを指定してもよい。
【００５７】
また、上述した実施の形態においては、タブレット端末１００のコイル５０の位置と、背面タッチパッド２０に対する充電器２００の接触位置との相対位置を表示ユニット１２に表示しているが、これらの相対位置を、音声やアラーム等の音や、振動によって報知することも考えられる。音声によって報知する場合は、誘導情報として、背面タッチパッド２０に対する充電器２００の接触位置がコイル５０の位置と重なるように、「右」、「左」等というようにタブレット端末１００を充電器２００上でずらす方向を指示することが考えられる。アラームや振動によって報知する場合は、誘導情報として、背面タッチパッド２０に対する充電器２００の接触位置とコイル５０の位置とが近づくにつれて、アラームや振動の大きさを小さくすることが考えられる。また、振動による場合は、誘導情報として、背面タッチパッド２０に対する充電器２００の接触位置とコイル５０の位置との距離に応じて、振動の周期間隔を変動させてもよい。
【００５８】
また、上述した実施の形態においては、充電器２００を用いてタブレット端末１００の充電を行う場合にタブレット端末１００と充電器２００との相対位置が予め決められた位置となるように制御するものを例に挙げて説明したが、本発明は、このような非接触充電に限らず、ＦｅｌｉｃａやＮＦＣ等のように、これらの記録媒体とリーダ／ライタとの間にて非接触通信を行うものについても、記録媒体とリーダ／ライタとの位置合わせに適用することができる。
【００５９】
また、本発明の構成要素は、上述したブロック図に示されるような機能として分離されるものに限らず、適宜、機能毎に分離した構成としてもよい。
【００６０】
また、本発明においては、携帯機器内の処理は上述の専用のハードウェアにより実現されるもの以外に、その機能を実現するためのプログラムを携帯機器となるコンピュータにて読取可能な記録媒体に記録し、この記録媒体に記録されたプログラムを携帯機器に読み込ませ、実行するものであっても良い。携帯機器にて読取可能な記録媒体とは、ＩＣカードやメモリカード、あるいは、フロッピーディスク（登録商標）、光磁気ディスク、ＤＶＤ、ＣＤ等の移設可能な記録媒体の他、処理装置に内蔵されたＨＤＤ等を指す。この記録媒体に記録されたプログラムは、例えば、制御ブロックにて読み込まれ、制御ブロックの制御によって、上述したものと同様の処理が行われる。
【００６１】
また、本発明に用いられる携帯機器は、上述したようなタブレット端末に限らず、携帯端末やスマートフォン、携帯音楽プレーヤーや携帯ゲーム機、ノートＰＣ、ＰＤＡ（Personal Date Assistants）、デジタルカメラ、リモコン等であってもよい。
【００６２】
上記の実施の形態の一部または全部は、以下の付記のようにも記載され得るが、以下には、限られない。
【００６３】
（付記１）
携帯機器であって、
前記携帯機器の背面に対向する対向機器に接触することにより、前記対向機器の位置を検出する検出手段と、
前記検出手段にて検出した前記対向機器の位置に基づいて、該対向機器と前記携帯機器の所定箇所との相対位置情報を生成する制御手段と、
前記相対位置情報を報知する報知手段とを有する携帯機器。
【００６４】
（付記２）
付記１に記載の携帯機器において、
前記報知手段は、前記対向機器に対する前記携帯機器の所定箇所の相対位置を予め決められた位置とするための誘導情報を出力する携帯機器。
【００６５】
（付記３）
付記２に記載の携帯機器において、
前記報知手段は、前記対向機器の位置と、前記携帯機器の前記所定箇所の位置とを表示出力する携帯機器。
【００６６】
（付記４）
付記１乃至３のいずれか１項に記載の携帯機器において、
前記対向機器は、前記携帯機器に充電を行う充電器であり、
前記所定箇所は、前記充電器から電力を受け取る電力受取部が内蔵された箇所である携帯機器。
【００６７】
（付記５）
携帯機器の制御方法であって、
前記携帯機器の背面に対向する対向機器に接触することにより、前記対向機器の位置を検出する検出処理と、
前記検出処理にて検出した前記対向機器の位置に基づいて、該対向機器と前記携帯機器の所定箇所との相対位置情報を生成する相対位置生成処理と、
前記相対位置情報を報知する報知処理とを有する制御方法。
【００６８】
（付記６）
携帯機器に、
前記携帯機器の背面に対向する対向機器に接触することにより、前記対向機器の位置を検出する検出手順と、
前記検出手順にて検出した前記対向機器の位置に基づいて、該対向機器と前記携帯機器の所定箇所との相対位置情報を生成する相対位置生成手順と、
前記相対位置情報を報知する報知手順とを実行させるためのプログラム。
【符号の説明】
【００６９】
１    携帯機器
２    検出部
３    制御部
４    報知部
５    対向機器
１０    タッチパネル
１１    タッチパッド
１２    表示ユニット
１３    コイル位置マーク
１４    充電器位置マーク
２０    背面タッチパッド
３０    ＣＰＵ
４０    充電池
５０，２５０    コイル
６０    筐体
１００    タブレット端末
２００    充電器
【図１】
2014027738.tif 000003
【図２】
2014027738.tif 000004
【図３】
2014027738.tif 000005
【図４】
2014027738.tif 000006
【図５】
2014027738.tif 000007
【図６】
2014027738.tif 000008
【図７】
2014027738.tif 000009